(57)【要約】      （修正有）【課題】ロト６、ロト７などの数字予想を単純明快に導き出せる数字選択式宝くじロト予想鉄球コロコロ台を提供する。【解決手段】Ａ４サイズ程度の木枠１に４３所の穴を掘った合板に数字を記入し、パチンコ玉３を４３個（内６個色玉４）を投入し、穴に入った数字でロト６の数字予想が出来る。【選択図】図１
0003208945.tif 000002
【実用新案登録請求の範囲】
【請求項１】
Ａ４サイズ程度の木枠に４３所の穴を掘った合板に数字を記入、パチンコ玉４３個（内６個色玉）を投入し、穴に入った数字でロト６の数字予想の出来ることを特徴とする数字選択式宝くじロト予想鉄球コロコロ台。
【請求項２】
数字選択式宝くじロト予想鉄球コロコロ台には、縦１０列、横４列・縦３列の穴が規則的に掘られた請求項１、記載の数字選択式宝くじロト予想鉄球コロコロ台。
【請求項３】
前記の予想とは他に、ロト７を予想する場合は、４３個の穴の内、４列目縦３列、３段目縦３列の穴を塞ぎ使用する。塞いだら３７個のパチンコ玉（内７個色玉）を投入し、穴に入った数字でロト７の数字予想が出来る請求項１、記載の数字選択式宝くじロト予想鉄球コロコロ台。
【請求項４】
前記の予想とは他に、ミニロトを予想する場合は、４３個の穴の内、４段目縦３列、３段目縦９列の穴を塞ぎ使用する。塞いだら３１個のパチンコ玉（内７個色玉）を投入し、穴に入った数字でミニロトの数字予想が出来る請求項１、記載の数字選択式宝くじロト予想鉄球コロコロ台。
【請求項５】
投入したパチンコ玉は、右下にある玉抜きに入った球を、上枠の穴から取り出せることが出来る請求項１、記載の数字選択式宝くじロト予想鉄球コロコロ台。
【請求項６】
裏面はスライド式となっている請求項１、記載の数字選択式宝くじロト予想鉄球コロコロ台。
【請求項７】
ロト６、ロト７、ミニロトの申込カードと同じ配列にして、簡単記入を可能にした。請求項１、記載の数字選択式宝くじロト予想鉄球コロコロ台。
【考案の詳細な説明】
【技術分野】
【０００１】本考案は木材とパチンコ玉からなり、ロト６・ロト７などの数字予想を単純明快に導き出せる数字選択式宝くじロト予想鉄球コロコロ台に関するものである。
【背景技術】
【０００２】ロトは自分で数字を選ぶ「数字選択式宝くじ」で、Ｗｅｂ予想などの独自予想を有料（一部無料）で販売している。また、電子ルーレットや電動ロトマシーンなどで数字を予想する機材もあるが、他人任せ（機材頼み）で簡単に頼るものがなかった。
【先行技術文献】
【特許文献】
【特許文献１】
【非特許文献】
【０００３】
【非特許文献１】「ＰＯＫＡＨ  電動ロトマシーン」ペイリングテクノロジーズ  「電子ルーレットエコソーラー７３７」（株）ストーンウエルズ
【考案の概要】
【考案が解決しようとする課題】
【０００４】本考案は、以上に述べた従来の「電子ルーレット」と「電動ロトマシーン」などがあり、Ｗｅｂ（ウエブ）予想など数字選択式宝くじの予想方法はあったが、アナログ的な経験や勘も大切にして結果を残すことも重要である。そこで、本考案は人為的な要素のみで操作できる、経験や勘に頼る「定性的」に基づいた優れものを提供するものである。
【課題を解決するための手段】
【０００５】以上の課題を解決するために、木枠の中に１〜４３の穴を掘り数字を記入、パチンコ玉を４３個投入（内６個は色玉）、木枠を動かしパチンコ玉を転がし、穴に入った数字で６個の数字を予想。宝くじとは違って地方の不利さに泣くこと無く自分の運と努力次第で勝負できる。これにより上記課題を解決するものである。
【考案の効果】
【０００６】本考案は木材を利用するため造るのも容易で、普及させるためのコスト面での障害や設備費用も少なく、宝くじの購入は夢を買うものであり、同時に希望を与えるものである。
【図面の簡単な説明】
【０００７】
【図１】この考案の一実施形態を示す図である。
【考案を実施するための形態】
【０００８】以下、本考案の実施形態を図に基づいて説明する。
図２、外枠用木材４枚と表面を黒塗装した合板を組み合わせた図である。留め具は釘を使用する。
図３、ロト７用のアタッチメントを装着した図である。
図４、ミニロト用のアタッチメントを装着した図である。
図５、裏面は、白い塗装した合板を組み合わせた図である。スライド式となっている。
【実施例】
【産業上の利用可能性】
【符号の説明】
【０００９】１  木枠
２  穴
３  パチンコ玉
４  色玉
５  玉抜
６  ロト７、ミニロト用アタッチメント
７  玉の取り出し口
【図１】
0003208945.tif 000003
【図２】
0003208945.tif 000004
【図３】
0003208945.tif 000005
【図４】
0003208945.tif 000006
【図５】
0003208945.tif 000007
【手続補正書】
【提出日】平成28年11月11日(2016.11.11)
【手続補正１】
【補正対象書類名】実用新案登録請求の範囲
【補正対象項目名】全文
【補正方法】変更
【補正の内容】
【実用新案登録請求の範囲】
【請求項１】
Ａ４サイズ程度の木枠に４３所の穴を掘った合板に数字を記入、パチンコ玉４３個（内６個色玉）を投入し、穴に入った数字でロト６の数字予想の  出来ることを特徴とする数字選択式宝くじロト予想鉄球コロコロ台。
【請求項２】
数字選択式宝くじロト予想鉄球コロコロ台には、縦１０列、横４列・縦３列の穴が規則的に掘られた請求項１、記載の数字選択式宝くじロト予想鉄球コロコロ台。
【請求項３】
前記の予想とは他に、ロト７を予想する場合は、４３個の穴の内、４列目縦３列、３段目縦３列の穴を塞ぎ使用し、３７個のパチンコ玉（内７個色玉）を投入し、穴に入った数字でロト７の数字予想が出来る請求項１、記載の数字選択式宝くじロト予想鉄球コロコロ台。
【請求項４】
前記の予想とは他に、ミニロトを予想する場合は、４３個の穴の内、４段目縦３列、３段目縦９列の穴を塞ぎ使用し、３１個のパチンコ玉（内７個色玉）を投入し、穴に入った数字でミニロトの数字予想が出来る請求項１、記載の数字選択式宝くじロト予想鉄球コロコロ台。
【請求項５】
投入したパチンコ玉は、右下にある玉抜きに入った球を、裏面の穴から取り出せることが出来る請求項１、記載の数字選択式宝くじロト予想鉄球コロコロ台。
【請求項６】
裏面はスライド式の蓋となっていて、一枚板を横からスライドさせる請求項１、記載の数字選択式宝くじロト予想鉄球コロコロ台。
【請求項７】
ロト６、ロト７、ミニロトの申込カードと同じ配列にして、簡単記入を可能にした、請求項１、記載の数字選択式宝くじロト予想鉄球コロコロ台。
【手続補正２】
【補正対象書類名】明細書
【補正対象項目名】全文
【補正方法】変更
【補正の内容】
【考案の詳細な説明】
【技術分野】
【０００１】本考案は木材とパチンコ玉からなり、ロト６・ロト７などの数字予想を単純明快に導き出せる数字選択式宝くじロト予想鉄球コロコロ台に関するものである。
【背景技術】
【０００２】ロトは自分で数字を選ぶ「数字選択式宝くじ」で、Ｗｅｂ予想などの独自予想を有料（一部無料）で販売している。また、電子ルーレットや電動ロトマシーンなどで数字を予想する機材もあるが、他人任せ（機材頼み）で簡単に頼るものがなかった。
【先行技術文献】
【特許文献】
【特許文献１】
【非特許文献】
【０００３】
【非特許文献１】「ＰＯＫＡＨ  電動ロトマシーン」ペイリングテクノロジーズ「電子ルーレットエコソーラー７３７」（株）ストーンウエルズ
【考案の概要】
【考案が解決しようとする課題】
【０００４】本考案は、以上に述べた従来の「電子ルーレット」と「電動ロトマシーン」などがあり、Ｗｅｂ（ウエブ）予想など数字選択式宝くじの予想方法はあったが、アナログ的な経験や勘も大切にして結果を残すことも重要である。そこで、本考案は人為的な要素のみで操作できる、経験や勘に頼る「定性的」に基づいた優れものを提供するものである。
【課題を解決するための手段】
【０００５】以上の課題を解決するために、木枠の中に１〜４３の穴を掘り数字を記入、パチンコ玉を４３個投入（内６個は色玉）、木枠を動かしパチンコ玉を転がし、穴に入った数字で６個の数字を予想。宝くじとは違って地方の不利さに泣くこと無く自分の運と努力次第で勝負できる。これにより上記課題を解決するものである。
【考案の効果】
【０００６】本考案は木材を利用するため造るのも容易で、普及させるためのコスト面での障害や設備費用も少なく、宝くじの購入は夢を買うものであり、同時に希望を与えるものである。
【図面の簡単な説明】
【０００７】
【図１】この考案の一実施形態を示す平面図である。
【図２】外枠用木材４枚と表面を黒塗装した合板を組み合わせた平面図であり、留め具は釘を使用する。
【図３】ロト７用のアタッチメントを装着した平面図である。
【図４】ミニロト用のアタッチメントを装着した平面図である。
【図５】裏面は、白い塗装した合板を組み合わせた平面図であり、スライド式の一枚板の蓋となっている。
【符号の説明】
【０００８】  １  木枠
２  穴
３  パチンコ玉
４  色玉
５  玉抜
６  ロト７、ミニロト用アタッチメント
７  玉の取り出し口